【手続補正書】
【提出日】令和3年9月10日(2021.9.10)
【手続補正１】
【補正対象書類名】明細書
【補正対象項目名】００９２
【補正方法】変更
【補正の内容】
【００９２】
本開示の１つ以上の実施例の詳細は、添付の図面及び以下の説明で述べる。本開示の他の特徴、目的、及び利点は、説明及び図面並びに特許請求の範囲から明らかになるであろう。以下、例示的実施形態を示す。
［１］
複数の落下抑制デバイスを安全ハーネスに結合するためのコネクタであって、
前記コネクタは、前記安全ハーネスの少なくとも１つのストラップを受け入れるように構成された空間を包囲するリングであって、
ラテラル部材と、
前記ラテラル部材の第１の端部に結合された第１のサイド部材と、
前記第１の端部とは反対側にある前記ラテラル部材の第２の端部に結合された第２のサイド部材と、を含むリングと、
第１の落下抑制デバイスを受け入れるように構成された第１のコネクタ部材であって、前記ラテラル部材、前記第１のサイド部材、及び前記第２のサイド部材と一体的に形成されている第１のコネクタ部材と、
第２の落下抑制デバイスを受け入れるように構成された第２のコネクタ部材と、
を備える、コネクタ。
［２］
前記第１のコネクタ部材が、
第１のアパーチャを含む第１の側面であって、前記第１のアパーチャが、前記ラテラル部材の上面によって画定される平面に対して実質的に垂直な平面を画定する第１の側面と、
第２のアパーチャを含む第２の側面と、
外面と、
前記第１のアパーチャから前記第２のアパーチャまで延び、前記第１のコネクタ部材の内面を露出させる中空領域であって、ファスナーを受け入れて前記第１の落下抑制デバイスを前記コネクタに結合するように構成されている中空領域と、
を備える、［１］に記載のコネクタ。
［３］
前記中空領域が、前記ラテラル部材によって画定される第２の軸に実質的に平行である第１の軸を画定する、［１］に記載のコネクタ。
［４］
前記ラテラル部材と前記第１のサイド部材との間の第１の接合部が湾曲しており、前記ラテラル部材と前記第２のサイド部材との間の第２の接合部が湾曲している、［１］に記載のコネクタ。
［５］
前記第２のコネクタ部材が、枢動可能に前記第１のコネクタデバイスに結合されている、［１］に記載のコネクタ。
［６］
前記第２のコネクタ部材が、前記中空領域によって画定される軸に実質的に垂直である軸を中心に枢動するように構成されている、［１］に記載のコネクタ。
［７］
前記第１のコネクタ部材が、前記第１のコネクタ部材の長さに沿って１つ以上の溝を含み、前記１つ以上の溝の位置における前記第１のコネクタ部材の第１の半径が、前記第１のコネクタ部材の端部における前記第１のコネクタ部材の第２の半径よりも小さい、［１］に記載のコネクタ。
［８］
前記第１のコネクタ部材が、前記第１のコネクタ部材の第１の端部における第１のフランジと、前記第１の端部とは反対側にある前記第１のコネクタ部材の第２の端部における第２のフランジと、を含む、［１］に記載のコネクタ。
［９］
前記リングが、前記第１のコネクタ部材を含む、［１］に記載のコネクタ。
［１０］
前記リングが第２のラテラル部材を含み、
前記第１のラテラル部材が第１の長手方向軸に沿って延び、前記第２のラテラル部材が第２の長手方向軸に沿って延び、
前記第１の長手方向軸が前記第２の長手方向軸に平行である、［１］に記載のコネクタ。
［１１］
前記第１のコネクタ部材の半径が、前記第１のコネクタ部材の長さに沿って実質的に均一である、［１］に記載のコネクタ。
［１２］
前記ラテラル部材が、第１のラテラル部材であり、前記コネクタが、前記第１のラテラル部材に実質的に平行な第２のラテラル部材を含み、
前記第２のラテラル部材が、前記第１のラテラル部材、前記第１のサイド部材、前記第２のサイド部材、及び前記第１のコネクタ部材と一体的に形成されており、
前記第１のラテラル部材、前記第２のラテラル部材、前記第１のサイド部材、及び前記第２のサイド部材が、前記安全ハーネスの少なくとも１つのストラップを受け入れるように構成された前記空間を包囲する、［１］に記載のコネクタ。
［１３］
前記第１のサイド部材が、前記第２のサイド部材に実質的に平行である、［１］に記載のコネクタ。
［１４］
前記第２のコネクタ部材が、前記ラテラル部材、前記第１のサイド部材、前記第２のサイド部材、及び前記第１のコネクタ部材と一体的に形成されている、［１］に記載のコネクタ。
［１５］
前記第２のコネクタ部材が、
前記第１のコネクタ部材から延びる第１のアームと、
前記第１のコネクタ部材から延びる第２のアームと、を含み、
前記第１のアームの第１の側が、前記第２のアームの第１の側に実質的に平行であり、
前記第１のアームの前記第１の側及び前記第２のアームの前記第１の側がそれぞれ、前記第１のサイド部材及び前記第２のサイド部材に実質的に平行である、［１］に記載のコネクタ。
［１６］
システムであって、
少なくとも１つのストラップを備える安全ハーネスと、
１つ以上の落下抑制デバイスを前記安全ハーネスに結合するように構成されたコネクタであって、
前記安全ハーネスの前記少なくとも１つのストラップを受け入れるように構成された空間を包囲するリングであって、
ラテラル部材と、
前記ラテラル部材の第１の端部に結合された第１のサイド部材と、
前記第１の端部とは反対側にある前記ラテラル部材の第２の端部に結合された第２のサイド部材と、
を含むリングと、
第１の落下抑制デバイスを受け入れるように構成された第１のコネクタ部材であって、前記ラテラル部材、前記第１のサイド部材、及び前記第２のサイド部材と一体的に形成されている第１のコネクタ部材と、
第２の落下抑制デバイスを受け入れるように構成された第２のコネクタ部材と、
を含むコネクタと、
を備える、システム。
［１７］
前記第１の落下抑制デバイスを更に備え、前記第１の落下抑制デバイスが、前記第１のコネクタ部材内の中空領域を介して前記第１のコネクタ部材に結合するように構成されている、［１６］に記載のシステム。
［１８］
前記第２の落下抑制デバイスを更に備え、前記第２の落下抑制デバイスが、前記第２のコネクタ部材のオープニングを介して前記第２のコネクタ部材に結合するように構成されている、［１６］に記載のシステム。
［１９］
前記第１のコネクタ部材が、
第１のアパーチャを含む第１の側面であって、前記第１のアパーチャが、前記ラテラル部材の上面によって画定される平面に対して実質的に垂直な平面を画定する第１の側面と、
第２のアパーチャを含む第２の側面と、
外面と、
前記第１のアパーチャから前記第２のアパーチャまで延び、前記第１のコネクタ部材の内面を露出させる中空領域であって、ファスナーを受け入れて前記第１の落下抑制デバイスを前記コネクタに結合するように構成されている中空領域と、
を備える、［１６］に記載のシステム。
［２０］
前記中空領域が、前記ラテラル部材によって画定される第２の軸に実質的に平行である第１の軸を画定する、［１６］に記載のシステム。
［２１］
前記ラテラル部材と前記第１のサイド部材との間の第１の接合部が湾曲しており、前記ラテラル部材と前記第２のサイド部材との間の第２の接合部が湾曲している、［１６］に記載のシステム。
［２２］
前記第２のコネクタ部材が、枢動可能に前記第１のコネクタデバイスに結合されている、［１６］に記載のシステム。
［２３］
前記第２のコネクタ部材が、前記中空領域によって画定される軸に対して実質的に垂直である軸を中心に枢動するように構成されている、［１６］に記載のシステム。
［２４］
前記第１のコネクタ部材が、前記第１のコネクタ部材の長さに沿って１つ以上の溝を含み、前記１つ以上の溝の位置における前記第１のコネクタ部材の第１の半径が、前記第１のコネクタ部材の端部における前記第１のコネクタ部材の第２の半径よりも小さい、［１６］に記載のシステム。
［２５］
前記第１のコネクタ部材が、前記第１のコネクタ部材の第１の端部における第１のフランジと、前記第１の端部とは反対側にある前記第１のコネクタ部材の第２の端部における第２のフランジと、を含む、［１６］に記載のシステム。
［２６］
前記リングが、前記第１のコネクタ部材を含む、［１６］に記載のシステム。
［２７］
前記リングが、第２のラテラル部材を含み、
前記第１のラテラル部材が、第１の長手方向軸に沿って延び、前記第２のラテラル部材が、第２の長手方向軸に沿って延び、
前記第１の長手方向軸が、前記第２の長手方向軸に平行である、［１６］に記載のシステム。
［２８］
前記第１のコネクタ部材の半径が、前記第１のコネクタ部材の長さに沿って実質的に均一である、［１６］に記載のシステム。
［２９］
前記ラテラル部材が、第１のラテラル部材であり、前記コネクタが、前記第１のラテラル部材に実質的に平行な第２のラテラル部材を含み、
前記第２のラテラル部材が、前記第１のラテラル部材、前記第１のサイド部材、前記第２のサイド部材、及び前記第１のコネクタ部材と一体的に形成されており、
前記第１のラテラル部材、前記第２のラテラル部材、前記第１のサイド部材、及び前記第２のサイド部材が、前記安全ハーネスの少なくとも１つのストラップを受け入れるように構成された前記空間を包囲する、［１６］に記載のシステム。
［３０］
前記第１のサイド部材が、前記第２のサイド部材に実質的に平行である、［１６］に記載のシステム。
［３１］
前記第２のコネクタ部材が、前記ラテラル部材、前記第１のサイド部材、前記第２のサイド部材、及び前記第１のコネクタ部材と一体的に形成されている、［１６］に記載のシステム。
［３２］
前記第２のコネクタ部材が、
前記第１のコネクタ部材から延びる第１のアームと、
前記第１のコネクタ部材から延びる第２のアームと、
を含み、
前記第１のアームの第１の側が、前記第２のアームの第１の側に実質的に平行であり、
前記第１のアームの前記第１の側及び前記第２のアームの前記第１の側がそれぞれ、前記第１のサイド部材及び前記第２のサイド部材に実質的に平行である、［１６］に記載のシステム。
［３３］
複数の落下抑制デバイスを安全ハーネスに結合するためのコネクタであって、
前記コネクタは、
ラテラル部材と、
前記ラテラル部材の第１の端部に結合された第１のサイド部材と、
前記第１の端部とは反対側にある前記ラテラル部材の第２の端部に結合された第２のサイド部材と、
第１の落下抑制デバイスを受け入れるように構成された第１のコネクタ部材であって、前記ラテラル部材、前記第１のサイド部材、及び前記第２のサイド部材と一体的に形成され、前記ラテラル部材、第１のサイド部材、第２のサイド部材、及び第１のコネクタ部材が、前記安全ハーネスの少なくとも１つのストラップを受け入れるように構成された空間を包囲する第１のコネクタ部材と、
第２の落下抑制デバイスを受け入れるように構成された第２のコネクタ部材であって、中空領域によって画定される軸に対して実質的に垂直である軸を中心に枢動するように構成されている第２のコネクタ部材と、
を備える、コネクタ。
［３４］
複数の落下抑制デバイスを安全ハーネスに結合するためのコネクタであって、
前記コネクタは、
前記安全ハーネスの少なくとも１つのストラップを受け入れるように構成された空間を包囲するリングであって、
第１のラテラル部材と、
第２のラテラル部材と、
前記第１のラテラル部材の第１の端部及び前記第２のラテラル部材の第１の側に結合された第１のサイド部材と、
前記第１のラテラル部材の第２の端部及び前記第２のラテラル部材の第２の側に結合された第２サイド部材と、
を含むリングと、
第１の落下抑制デバイスを受け入れるように構成された第１のコネクタ部材であって、前記リングと一体的に形成されている、第１のコネクタ部材と、
第２の落下抑制デバイスを受け入れるように構成された第２のコネクタ部材であって、枢動可能に前記第１のコネクタデバイスに結合されている第２のコネクタ部材と、
を備える、コネクタ。
［３５］
複数の落下抑制デバイスを安全ハーネスに結合するためのコネクタであって、
前記コネクタは、
前記安全ハーネスの少なくとも１つのストラップを受け入れるように構成された空間を包囲するリングであって、
第１のラテラル部材と、
第２のラテラル部材と、
前記第１のラテラル部材の第１の端部及び前記第２のラテラル部材の第１の側に結合された第１のサイド部材と、
前記第１のラテラル部材の第２の端部及び前記第２のラテラル部材の第２の側に結合された第２のサイド部材と、
を含むリングと、
第１の落下抑制デバイスを受け入れるように構成された第１のコネクタ部材と、
第２の落下抑制デバイスを受け入れるように構成された第２のコネクタ部材と、
を備え、
前記リング、前記第１のコネクタ部材、及び前記第２のコネクタ部材が一体的に形成されている、コネクタ。

【手続補正２】
【補正対象書類名】特許請求の範囲
【補正対象項目名】全文
【補正方法】変更
【補正の内容】
【特許請求の範囲】
【請求項１】
複数の落下抑制デバイスを安全ハーネスに結合するためのコネクタであって、
前記コネクタは、前記安全ハーネスの少なくとも１つのストラップを受け入れるように構成された空間を包囲するリングであって、
ラテラル部材と、
前記ラテラル部材の第１の端部に結合された第１のサイド部材と、
前記第１の端部とは反対側にある前記ラテラル部材の第２の端部に結合された第２のサイド部材と、を含むリングと、
第１の落下抑制デバイスを受け入れるように構成された第１のコネクタ部材であって、前記ラテラル部材、前記第１のサイド部材、及び前記第２のサイド部材と一体的に形成されている第１のコネクタ部材と、
第２の落下抑制デバイスを受け入れるように構成された第２のコネクタ部材と、
を備える、コネクタ。
【請求項２】
前記第１のコネクタ部材が、
第１のアパーチャを含む第１の側面であって、前記第１のアパーチャが、前記ラテラル部材の上面によって画定される平面に対して実質的に垂直な平面を画定する第１の側面と、
第２のアパーチャを含む第２の側面と、
外面と、
前記第１のアパーチャから前記第２のアパーチャまで延び、前記第１のコネクタ部材の内面を露出させる中空領域であって、ファスナーを受け入れて前記第１の落下抑制デバイスを前記コネクタに結合するように構成されている中空領域と、
を備える、請求項１に記載のコネクタ。
【請求項３】
前記中空領域が、前記ラテラル部材によって画定される第２の軸に実質的に平行である第１の軸を画定する、請求項１に記載のコネクタ。
【請求項４】
前記第２のコネクタ部材が、枢動可能に前記第１のコネクタデバイスに結合されている、請求項１に記載のコネクタ。
【請求項５】
前記第２のコネクタ部材が、前記中空領域によって画定される軸に実質的に垂直である軸を中心に枢動するように構成されている、請求項１に記載のコネクタ。
【請求項６】
前記リングが、前記第１のコネクタ部材を含む、請求項１に記載のコネクタ。
【請求項７】
前記リングが第２のラテラル部材を含み、
前記第１のラテラル部材が第１の長手方向軸に沿って延び、前記第２のラテラル部材が第２の長手方向軸に沿って延び、
前記第１の長手方向軸が前記第２の長手方向軸に平行である、請求項１に記載のコネクタ。
【請求項８】
前記ラテラル部材が、第１のラテラル部材であり、前記コネクタが、前記第１のラテラル部材に実質的に平行な第２のラテラル部材を含み、
前記第２のラテラル部材が、前記第１のラテラル部材、前記第１のサイド部材、前記第２のサイド部材、及び前記第１のコネクタ部材と一体的に形成されており、
前記第１のラテラル部材、前記第２のラテラル部材、前記第１のサイド部材、及び前記第２のサイド部材が、前記安全ハーネスの少なくとも１つのストラップを受け入れるように構成された前記空間を包囲する、請求項１に記載のコネクタ。
【請求項９】
前記第２のコネクタ部材が、前記ラテラル部材、前記第１のサイド部材、前記第２のサイド部材、及び前記第１のコネクタ部材と一体的に形成されている、請求項１に記載のコネクタ。
【請求項１０】
前記第２のコネクタ部材が、
前記第１のコネクタ部材から延びる第１のアームと、
前記第１のコネクタ部材から延びる第２のアームと、を含み、
前記第１のアームの第１の側が、前記第２のアームの第１の側に実質的に平行であり、
前記第１のアームの前記第１の側及び前記第２のアームの前記第１の側がそれぞれ、前記第１のサイド部材及び前記第２のサイド部材に実質的に平行である、請求項１に記載のコネクタ。
【請求項１１】
システムであって、
少なくとも１つのストラップを備える安全ハーネスと、
１つ以上の落下抑制デバイスを前記安全ハーネスに結合するように構成されたコネクタであって、
前記安全ハーネスの前記少なくとも１つのストラップを受け入れるように構成された空間を包囲するリングであって、
ラテラル部材と、
前記ラテラル部材の第１の端部に結合された第１のサイド部材と、
前記第１の端部とは反対側にある前記ラテラル部材の第２の端部に結合された第２のサイド部材と、
を含むリングと、
第１の落下抑制デバイスを受け入れるように構成された第１のコネクタ部材であって、前記ラテラル部材、前記第１のサイド部材、及び前記第２のサイド部材と一体的に形成されている第１のコネクタ部材と、
第２の落下抑制デバイスを受け入れるように構成された第２のコネクタ部材と、
を含むコネクタと、
を備える、システム。
【請求項１２】
前記第１の落下抑制デバイスを更に備え、前記第１の落下抑制デバイスが、前記第１のコネクタ部材内の中空領域を介して前記第１のコネクタ部材に結合するように構成されている、請求項１１に記載のシステム。
【請求項１３】
前記第２の落下抑制デバイスを更に備え、前記第２の落下抑制デバイスが、前記第２のコネクタ部材のオープニングを介して前記第２のコネクタ部材に結合するように構成されている、請求項１１に記載のシステム。
【請求項１４】
前記第１のコネクタ部材が、
第１のアパーチャを含む第１の側面であって、前記第１のアパーチャが、前記ラテラル部材の上面によって画定される平面に対して実質的に垂直な平面を画定する第１の側面と、
第２のアパーチャを含む第２の側面と、
外面と、
前記第１のアパーチャから前記第２のアパーチャまで延び、前記第１のコネクタ部材の内面を露出させる中空領域であって、ファスナーを受け入れて前記第１の落下抑制デバイスを前記コネクタに結合するように構成されている中空領域と、
を備える、請求項１１に記載のシステム。
【請求項１５】
複数の落下抑制デバイスを安全ハーネスに結合するためのコネクタであって、
前記コネクタは、
前記安全ハーネスの少なくとも１つのストラップを受け入れるように構成された空間を包囲するリングであって、
第１のラテラル部材と、
第２のラテラル部材と、
前記第１のラテラル部材の第１の端部及び前記第２のラテラル部材の第１の側に結合された第１のサイド部材と、
前記第１のラテラル部材の第２の端部及び前記第２のラテラル部材の第２の側に結合された第２のサイド部材と、
を含むリングと、
第１の落下抑制デバイスを受け入れるように構成された第１のコネクタ部材と、
第２の落下抑制デバイスを受け入れるように構成された第２のコネクタ部材と、
を備え、
前記リング、前記第１のコネクタ部材、及び前記第２のコネクタ部材が一体的に形成されている、コネクタ。